(57)【要約】【課題】  トップポジションで少しの間を取り、安定したスイングが行えるように矯正でき、打ち込み時のタイミングやヘッドスピードを確認及び強化できるようにする。【解決手段】  中空パイプ状のシャフト２と、シャフト２の上端部に設けるグリップ３と、シャフト２の先端部にヘッド代わりに設ける錘体４とを備え、シャフト２内に金属製の球体５をグリップ３と錘体４との間を移動可能に設け、かつ、グリップ３と錘体４とに衝突音を発しながら球体５を受け止める上、下当たり部３１，４１を設けた。【選択図】図１
0003135674.tif 000002
【実用新案登録請求の範囲】
【請求項１】
中空パイプ状のシャフト２と、シャフト２の上端部に設けるグリップ３と、シャフト２の先端部にヘッド代わりに設ける錘体４とを備え、シャフト２内に金属製の球体５をグリップ３と錘体４との間を移動可能に設け、かつ、グリップ３と錘体４とに衝突音を発しながら球体５を受け止める上、下当たり部３１，４１を設けたことを特徴とする練習用ゴルフシャフト。
【請求項２】
錘体４をシャフト２の先端部に着脱可能に設け、重さの異なる錘体４に取り替え可能としたことを特徴とする請求項１に記載の練習用ゴルフシャフト。
【考案の詳細な説明】
【技術分野】
【０００１】  本考案はスイングの矯正や強化が行える練習用ゴルフシャフトに関するものである。
【技術背景】
【０００２】  ゴルフスイングを行う場合、構えた位置からシャフトをトップ位置まで引き上げてトップ位置で少しの間をおいて体の安定化を図り、その後力を入れながらダウンスイングに入るようにしている。
【考案の開示】
【考案が解決しようとする課題】
【０００３】  ところが、フォームの安定しない初心者などがゴルフクラブを用いてスイングを行うと、往々にしてトップポジションで少しの間を取ることなく直ちにダウンスイングに入り、ボールを正確に捕らえることができない問題があった。特に、トップポジションで少しの間をつくらない場合、トップポジションの位置確認がしずらくトップポジションにバラツキが生じやすいし、また、初心者特有の力んだスイングになり、フォームが一定せず安定したスイングが得られないといった問題があった。【０００４】  そこで、本考案はトップポジションで少しの間を取り、安定したスイングが行えるように矯正でき、しかも、打ち込み時のタイミングやヘッドスピードを確認及び強化できる練習用ゴルフシャフトの提供を課題とする。
【課題を解決するための手段】
【０００５】  上記課題を解決するため、本考案は、中空パイプ状のシャフト２と、シャフト２の上端部に設けるグリップ３と、シャフト２の先端部にヘッド代わりに設ける錘体４とを備え、シャフト２内に金属製の球体５をグリップ３と錘体４との間を移動可能に設け、かつ、グリップ３と錘体４とに衝突音を発しながら球体５を受け止める上、下当たり部３１，４１を設けたことを特徴とする。【０００６】  また、本願の請求項２の考案は、請求項１に記載の構成に加えて錘体４をシャフト２の先端部に着脱可能に設け、重さの異なる錘体４に取り替え可能としたことを特徴とする。
【考案の効果】
【０００７】  本考案の練習用ゴルフシャフトによれば、構えたセットポジションからシャフト２を後方へ引き上げてトップポジションに達したとき、シャフト２内における金属製の球体５がグリップ３側の上当たり部３１に当接して衝突音が発生する。そして、その衝突音が消えるまで少しの間トップポジション姿勢を維持する。これにより、トップポジションで少しの間を取ることができ、その結果、正確なトップポジションの位置確認と力みを抑えて体の安定化を図ったうえで、スムーズに力を入れてダウンスイングに入ることができる。また、トップポジションからダウンスイングしたときには、シャフト２内のグリップ３側の上当たり部３１に位置する球体５が錘体４の下当たり部４１に移動して当接しその衝突音が発生する。その発生する音から、つまり振り降しから衝突音が発生するまでの時間とその音の大きさから、スイングの速さやヘッドスピード、さらにはスイングのタイミングなどの確認を行うことができる。【０００８】  また、錘体４をシャフト２の先端部に着脱可能に設け、重さの異なる錘体４に取り替え可能に構成すれば、通常のヘッドの重さよりも重めの錘体４に替えることより負荷をかけた状態のもとでの素振り練習が行えるので、一層安定したスイングの練習や体力の強化を図ることができるし、また通常のヘッドの重さよりも軽めの錘体４に替えることにより軽めの状態のもとでの素振り練習が行えるので、よりヘッドスピードを上げた状態での練習を行うことができるので好ましい。
【考案を実施するため最良の形態】
【０００９】  以下、本考案の実施の形態を図面に基づいて説明する。
図は、本考案に係る練習用ゴルフシャフトを示すもので、該練習用ゴルフシャフト１はスチィール製又は合成樹脂製などの中空パイプ状のシャフト２と、シャフト２の上端部に設けるグリップ３と、シャフト２の先端部にヘッド代わりに設ける錘体４とを備えている。
【００１０】  そして、シャフト２内に金属製の球体５をグリップ３と錘体４との間を移動可能に設け、かつ、グリップ３と錘体４とに衝突音を発しながら球体５を受け止める上、下当たり部３１，４１を設けている。
【００１１】  その場合、グリップ３の中心部にその底部から筒状の開口部側に延びる鍔３１ａ付きの有底筒状を呈する上当たり部３１が設けられる。グリップ３がシャフト２の上端部の外周に外嵌されるとき、図１に示すようにグリップ３の中心部に設けられた上当たり部３１もシャフト２の上端部内に挿入され、かつその鍔３１ａにより挿入位置に移動不能に保持される。上当たり部３１には球体５との衝突音が発生する合成樹脂や金属などの素材を用いる。また、上当たり部３１の当たり面をグリップ３の先端開口部近くに位置させる。これにより、その衝突音が耳元で聞こえ易く、また手に衝突時の振動が伝わり易くしている。
【００１２】  また、錘体４をシャフト２の先端部に着脱可能に設け、重さの異なる錘体４に取り替え可能に構成している。
【００１３】  具体的には、錘体４を合成樹脂、又は金属などを素材とする有底筒状体４０から形成し、その内周面にねじ孔４０ａを形成する一方、シャフト２の先端部外周にねじ２ａを形成して、錘体４のシャフト２の先端部へのねじ込みにより螺着するようにしている。図１中、符号６は錘体４の下端部に貼着されたゴム、軟質合成樹脂或いはフェルトなどの衝撃吸収部材である。
【００１４】  次に本考案の練習用ゴルフシャフトの作用について説明する。
【００１５】  まず、シャフト２をボール（図示せず）に合わせて構えた構えたセットポジションからシャフト２をトップポジションまで引き上げる。シャフト２がトップポジションに達したとき、シャフト２内における金属製の球体５がグリップ３側の上当たり部３１に当接して衝突音が発生する。そして、その衝突音が消えるまで少しの間トップポジション姿勢を維持する。これにより、トップポジションで少しの間を取ることができ、その結果、正確なトップポジションの位置確認と力みを抑えて体の安定化を図ったうえで、スムーズに力を入れてダウンスイングに入ることが可能となる。
【００１６】  また、トップポジションからダウンスイングしたときには、シャフト２内のグリップ３側の上当たり部３１に位置する球体５が錘体４の下当たり部４１に当接してその衝突音が発生する。その発生する音から、つまり振り降しから衝突音が発生するまでの時間とその音の大きさから、スイングの速さやヘッドスピード、さらにはスイングのタイミングなどの確認を行うことができる。
【００１７】  また、錘体４をシャフト２の先端部に螺着により着脱可能に設けて、重さの異なる別の錘体４に取り替え可能に構成しているので、例えば通常のヘッドの重さよりも重めの錘体４に替えることより負荷をかけた状態のもとでの素振り練習が行える。これにより、一層安定したスイングの練習や体力の強化を図ることができる。また、通常のヘッドの重さよりも軽めの錘体４に替えることにより軽めの状態のもとでの素振り練習が行えるので、よりヘッドスピードを上げた状態でのスイングが可能となり、手首をロックした状態から一気に手首を返してヘッドスピードを上げるための練習などを効果的に行うことができるので好ましい。
【００１８】  なお、錘体４をシャフト２への着脱手段としては上記したように螺着に限られるものではなく、例えば適宜嵌合や係合手段により行うようにしてもよいこと勿論である。
【００１９】  また、上当たり部３１の当たり面をグリップ３の先端開口部近くに位置させるようにしているので、その衝突音が耳元で聞こえ易く、また手に衝突時の振動が伝わり易くしている。なお、この他、例えば上当たり部３１の当たり面をグリップ３の底部に直接設けるようにしてもよい。
【図面の簡単な説明】
【００２０】
【図１】  本考案に係る練習用ゴルフシャフトの縦断面図である。
【図２】  同トップポジションにおける一部縦断面図である。
【符号の説明】
【００２１】  １        練習用ゴルフシャフト
２        シャフト
３        グリップ
４        錘体
５        球体
【図１】
0003135674.tif 000003
【図２】
0003135674.tif 000004